(57)【要約】【課題】歯間ブラシ部分を交換する際の交換が容易で、歯間ブラシの向きを使い易い方向に向けて使用でき、また携帯に便利なようにコンパクトに収納できるようにした歯間ブラシホルダーを提供する。【解決手段】歯間ブラシ１を取り付けたブラシ回転部２と、割りピン方式にて長手方向に半分に分割された回転部２を軸支するヘッド部３及び該ヘッド部３を一端に取り付け支持するネジシャフト部４と、該ネジシャフト部４に螺着するナット部６と、該ネジシャフト部４の他端を支持するシャフト支持部７とからなる歯間ブラシホルダー部Ａと、該歯間ブラシホルダーを収納するホルダーキャップ部Ｂとからなる歯間ブラシホルダーであって、回転部２はその両側支軸２ａ、２ａを分割されたヘッド本体３の両側軸受３ａ、３ａにて回動可能に軸支され、ネジシャフト部４に螺着したリングナット６により締め付け保持されている。【選択図】図１
2004188069.tif 000002
【特許請求の範囲】
【請求項１】
歯間ブラシ１を取り付けたブラシ回転部２と、割りピン方式にて長手方向に半分に分割された回転部２を軸支するヘッド部３及び該ヘッド部３を一端に取り付け支持するネジシャフト部４と、該ネジシャフト部４に螺着するナット部６と、該ネジシャフト部４の他端を支持するシャフト支持部７とからなる歯間ブラシホルダー部Ａと、該歯間ブラシホルダーを収納するホルダーキャップ部Ｂとからなる歯間ブラシホルダーであって、前記回転部２はその両側支軸２ａ、２ａを前記分割されたヘッド本体３の両側軸受３ａ、３ａにて回動可能に軸支され、ネジシャフト部４に螺着したリングナット６により締め付け保持されていることを特徴とする歯間ブラシホルダー。
【請求項２】
前記ブラシ回転部２の外周には所定間隔に複数の凸部２ｂを備え、各凸部２ｂをヘッド部３の凹部３ｂに嵌合させて、一旦停止できるようにしたことを特徴とする請求項１記載の歯間ブラシホルダー。
【請求項３】
前記割りピン方式にて分割されたネジシャフト部４の他端におけるシャフト支持部７により支持された部分に位置合わせ嵌合部４ｂを設けたことを特徴とする請求項１又は請求項２記載の歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部をブラシホルダーに回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には、ブラシホルダーから支軸部分を取り外して交換する必要があるが、その支軸部分をブラシホルダーから取り外す際に簡単に外すことができず、そのために時間が掛かったり、ブラシホルダー本体を破損したりして、交換が面倒であり、また歯間ブラシホルダーを旅行カバンなどに入れて携帯するような場合には、ホルダー部分が長柄状であるためにコンパクトに携帯できない不都合があった。
【０００５】
本発明の課題は、これらの不都合を解消することにあり、歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。
【０００６】
【課題を解決するための手段】
本発明の請求項１に係る発明は、歯間ブラシ１を取り付けたブラシ回転部２と、割りピン方式にて長手方向に半分に分割された回転部２を軸支するヘッド部３及び該ヘッド部３を一端に取り付け支持するネジシャフト部４と、該ネジシャフト部４に螺着するナット部６と、該ネジシャフト部４の他端を支持するシャフト支持部７とからなる歯間ブラシホルダー部Ａと、該歯間ブラシホルダーを収納するホルダーキャップ部Ｂとからなる歯間ブラシホルダーであって、前記回転部２はその両側支軸２ａ、２ａを前記分割されたヘッド本体３の両側軸受３ａ、３ａにて回動可能に軸支され、ネジシャフト部４に螺着したリングナット６により締め付け保持されていることを特徴とする歯間ブラシホルダーである。
【０００７】
本発明の請求項２に係る発明は、上記請求項１に係る歯間ブラシホルダーにおいて、前記ブラシ回転部２の外周には所定間隔に複数の凸部２ｂを備え、各凸部２ｂをヘッド部３の凹部３ｂに嵌合させて、一旦停止できるようにしたことを特徴とする歯間ブラシホルダーである。
【０００８】
本発明の請求項３に係る発明は、上記請求項１又は請求項２に係る歯間ブラシホルダーにおいて、前記割りピン方式にて分割されたネジシャフト部４の他端におけるシャフト支持部７により支持された部分に位置合わせ嵌合部４ｂを設けたことを特徴とする歯間ブラシホルダーである。
【０００９】
【発明の実施の形態】
本発明の歯間ブラシホルダーの実施の形態を、図１（ａ）に示す全体斜視図及び図１（ｂ）に示す全体側断面図に沿って以下に詳細に説明する。
【００１０】
歯間ブラシホルダーを構成する歯間ブラシホルダー部Ａは、歯間ブラシ１を取り付けたブラシ回転部２と、該回転部２を軸線Ｏを回転中心として回転可能に軸支するヘッド部３と、該ヘッド部３を一端に一体に設けたネジシャフト部４と、ネジシャフト部４に螺着するナット部６と、ネジシャフト部４の他端を支持するシャフト支持部７とにより構成される。
【００１１】
歯間ブラシ１はブラシ回転部２に取り付けられていて、該回転部２は歯間ブラシ１の向きを垂直乃至水平方向に姿勢変換できるようにヘッド部３に回転可能に軸支されている。
【００１２】
ヘッド部３及びヘッド部３を一端に取り付け支持するネジシャフト部４は割りピン方式（又は割りシャフト方式）にて長手方向に、そのヘッド部３及びシャフト部４の中心を通る断面にて半分に分割されている。
【００１３】
分割されたヘッド部３及びシャフト部４（割りピン形式部分）は、ネジシャフト部４の外周ネジ部４ａに螺着する内周ネジ部６ａを有するナット部６を回転させてヘッド部３方向に移動させることにより、分割された両側ヘッド部３、３下部の分割対向断面５を互いに密着させて締め付けることがてきる。
【００１４】
回転部２は、その軸線Ｏを回転中心とする支軸２ａが、分割された両側ヘッド部３、３の対向内面側に孔設した軸受孔３ａに軸支され、且つナット部６のシャフト部４上方への螺着により分割対向断面５が締め付けられて挟持され、歯間ブラシ１の向きを垂直方向乃至水平方向に回転可能に軸支されている。なお、回転部２の回転抵抗力は、支軸２ａと軸受孔３ａとの間の周接クリアランスを狭く乃至緩くして、周接静止摩擦力を付与する方向又は付与しない方向に設定することにより調整することができる。
【００１５】
また回転部２の外周には、図１（ａ）、（ｂ）に示すように所定間隔に複数の凸部２ｂを備え、各凸部２ｂをヘッド部３の凹部３ｂに嵌合させて、数カ所の回転角位置にてにて一旦停止できる停止ロック機構を設けるようにしてもよい。
【００１６】
なお回転部２の回転動作は、回転部２外周を直接手指で触れて押しながら回転させてもよいが、必要に応じて回転部２の外周にヘッド部３より外側に突出する突起部２ｃを設け、該突起部２ｃを手指で押すことによって回転動作させるようにしてもよい。
【００１７】
シャフト支持部７は、前記分割されて対向するネジシャフト部４、４の他端を取り付け支持する筒状体であり、該シャフト支持部７の筒内面７ａに密着するように分割したネジシャフト部４、４を差し込み装着支持している。なお分割したネジシャフト部４、４の互いの分割対向断面５には、ボス形式（凹凸嵌合形式）の位置合わせ嵌合部４ｂが設けられている。
【００１８】
またシャフト支持部７の筒状体の中間外周にはリング状に連続又は断続的に中間突起部７ｂを備え、また筒状体の下端側の筒内には底板部７ｃが設けられている。
【００１９】
またシャフト支持部７の筒状体のリング状の中間突起部７ｂを挟んで両側は、それぞれ上記歯間ブラシホルダー部Ａを、後述するホルダーキャップ部Ｂに収納する際の収納時のキャップ嵌合部８と、ホルダーを伸長する際の伸長時のキャップ嵌合部９となっていて、中間突起部７ｂはホルダーキャップ部Ｂの嵌合部１２に歯間ブラシホルダー部Ａの嵌合部８又は９を嵌合した際のストッパーであり、その突起部７ｂの突起高さは、特に限定されないが、その突起部７ｂの上部外周面がホルダーキャップ部Ｂの外周面より突出せずに面一となるような高さであることが適当である。
【００２０】
また嵌合取り付け取り外しにおける脱着容易性とその際の通気性を良好にするために、必要に応じて、該嵌合部８、９の外周に沿って３個所又は複数個所に、等間隔にホルダー長手方向にリブ８ａ、９ａが設けられている。
【００２１】
図２は、本発明の歯間ブラシホルダーにおけるホルダーキャップＢを説明する側面図であり、上記歯間ブラシホルダー部Ａに、ホルダー収納用及び伸長用のホルダーキャップＢを接続した状態を説明する側面図であり、ホルダーキャップＢは筒体１０の一端に閉鎖部１１、他端に開口する嵌合部１２を備え、該閉鎖部１１には、必要に応じて１乃至複数の通気孔１１ａが形成されている。
【００２２】
上記歯間ブラシホルダー部Ａは、図２に示すように、そのシャフト支持部７の嵌合部９を、ホルダーキャップＢの開口する嵌合部１２内に、その突起部７ｂまで差し込むことにより、そのホルダー長さを伸長し、長柄状（ロングスティック状）に伸ばして手で持ち易くすることができる。
【００２３】
また上記歯間ブラシホルダー部Ａは、図３に示すように、その先端の歯間ブラシ１をホルダーキャップＢの開口する嵌合部１２に向けて、ホルダーキャップＢ内に挿入し、そのシャフト支持部７の嵌合部８を、ホルダーキャップＢの開口する嵌合部１２内に差し込むことにより、その歯間ブラシホルダー部ＡをホルダーキャップＢ内に収納することができる。
【００２４】
ホルダーキャップ部Ｂの筒体１０の外径及び内径は、歯間ブラシホルダー部Ａを収納できる程度の大きさであれば、その開口する嵌合部１２から閉鎖部１１まで長手方向に亘って同じ直径でもよいが、例えば、筒体１０は、歯間ブラシホルダー部Ａの収納スペースを確保できる程度の外径及び内径を備えた嵌合部１２側の筒部と、歯間ブラシ１の細い収納スペースを確保できる程度の嵌合部１２側の筒部よりも細い外径及び内径を備えた閉鎖部１１側の筒部とにより構成されていてもよい。
【００２５】
図４は、本発明の歯間ブラシホルダーの使用方法を説明する側面図であり、前記図３に示したホルダーキャップ部Ｃ内から収納されている歯間ブラシホルダー部Ａを取り出し、ホルダー部Ａの嵌合部９をホルダーキャップ部Ｃの嵌合部１２内に嵌合させた後、ブラシ回転部２を手指で回転させ、適宜な回転角度にて一旦停止させることにより、歯間ブラシ１の向きを、水平１８０度の範囲内にて適宜な角度（垂直〜水平）の姿勢に変化させることができる。
【００２６】
例えば、図４に示すように、ブラシ回転体２を９０度の水平方向に回転させ、歯間ブラシ１の向きをホルダー部Ａの長手方向に対して９０度の水平方向の姿勢にすることにより、ホルダー部分を手で縦方向に持ちながら、歯間ブラシ１を略水平方向にして口腔内に挿入し、楽な姿勢で歯間の清掃を行うことができる。
【００２７】
上記歯間ブラシホルダー部Ａの歯間ブラシ１を取り付けたブラシ回転体２を取り替え交換する交換方法を以下に説明すれば、図１（ａ）に示した歯間ブラシホルダー部Ａのナット部６を、図５に示すようにネジシャフト４のネジ部４ａに沿って矢印方向に回転させてヘッド部３側からシャフト支持部７側に移動させる。これにより割りピン方式のヘッド部３及びネジシャフト部４の分割対向断面５の対向密着面及び分割対向するヘッド部３、３は両側に離反する。
【００２８】
対向するヘッド部３、３の両側への離反により、該ヘッド部３、３の軸受孔３ａ、３ａにて軸支されていたブラシ回転体２の両側支軸２ａ、２ａは、それぞれ軸受孔３ａ、３ａから容易に外すことができ、ブラシ回転体２を簡単に取り外して交換することができる。
【００２９】
交換後の新規なブラシ回転体２の取り付け方法は、図５に示すように、離反して対向する両側ヘッド部３、３の対向間にブラシ回転体２を装填して、該回転体２の両側支軸２ａ、２ａをヘッド部３、３のそれぞれ軸受孔３ａ、３ａ内に位置決め挿入し、続いて図１（ａ）に示すように、ナット部６をネジシャフト４のネジ部４ａに沿って矢印方向に回転させて、シャフト支持部７側からヘッド部３側に移動させる。これにより割りピン方式の離反対向するヘッド部３、３及びネジシャフト部４、４の分割対向断面５は互いに密着して、ブラシ回転体２は、その両側支軸２ａ、２ａをヘッド部３のそれぞれ軸受孔３ａ、３ａ内にて挟持されて軸支され、ブラシ回転体２を簡単に取り付けることができる。
【００３０】
【発明の効果】
本発明の歯間ブラシホルダーは、歯間ブラシ部分を交換する際には、歯間ブラシホルダー部にあるナット部を一方向に回転し、割りピン方式のヘッド部及びネジシャフト部の分割断面の対向密着面及び分割対向するヘッド部を両側に離反させることにより、歯間ブラシを取り付けたブラシ回転体を簡単に取り外すことができ、また、取り付ける際には、両側に離反した状態のヘッド部の対向間にブラシ回転体を装填し、ナット部を他方向に回転し、割りピン方式の離反対向するヘッド部及びネジシャフト部の分割断面を互いに密着させることにより、ブラシ回転体を簡単に取り付けることができる。
【００３１】
また本発明の歯間ブラシホルダーは、歯間ブラシホルダー部とホルダーキャップ部から構成されているので、使用する際には、ホルダー部とホルダーキャップ部とを嵌合接続することにより、ブラシの柄を伸長させて使い易くすることができ、また旅行カバンなどに入れて携帯するような場合には、ホルダー部とホルダーキャップ部とを切り離して、ホルダー部をホルダーキャップ部内に収納することができ、コンパクトに携帯できる効果がある。
【図面の簡単な説明】
【図１】（ａ）は本発明の歯間ブラシホルダーにおける歯間ブラシホルダー部の全体斜視図、（ｂ）はその全体側断面図。
【図２】本発明の歯間ブラシホルダーの歯間ブラシホルダー部とホルダーキャップ部とを接続してホルダー部分を伸長した状態を示す全体側面図。
【図３】本発明の歯間ブラシホルダーの歯間ブラシホルダー部をホルダーキャップ部内に収納した状態を示す全体側面図。
【図４】本発明の歯間ブラシホルダーの使用方法を説明する全体側面図。
【図５】本発明の歯間ブラシホルダーの歯間ブラシの交換方法を説明する全体側面図。
【符号の説明】
Ａ…歯間ブラシホルダー部  Ｂ…ホルダーキャップ部
１…歯間ブラシ  ２…ブラシ回転部  ２ａ…支軸  ３…ヘッド部  ３ａ…軸受孔４…ネジシャフト部  ４ａ…ネジ部  ４ｂ…位置合わせ嵌合部
５…分割対向断面  ６…ナット部  ６ａ…ネジ部  ７…シャフト支持部
８…嵌合部  ９…嵌合部  １０…筒体  １１…閉鎖部  １２…開口嵌合部
【図１】
2004188069.tif 000003
【図２】
2004188069.tif 000004
【図３】
2004188069.tif 000005
【図４】
2004188069.tif 000006
【図５】
2004188069.tif 000007